(57)【特許請求の範囲】
【請求項１】
キッチンカウンターに設けられた開口部に落とし込んで設置されるコンロ本体と、
前記コンロ本体上に設置された天板とを具備し、
前記コンロ本体は、
バーナー台と、
前記バーナー台で支持されたコンロバーナーと、
グリルと、
前記グリルの上方に配置され、前記グリルに載置された状態で、前記グリルに取り付けられた防熱板と、
前記コンロ本体を吊り下げ支持するための把手とを備え、
前記防熱板に第１支持部が形成され、
前記バーナー台に第２支持部が形成され、
前記把手が前記第１支持部と前記第２支持部とで支持されたことを特徴とするガスコンロ。
【請求項２】
前記把手の両端部に一対の被支持部がそれぞれ形成され、
前記バーナー台は、
左右方向に離間して配置された一対のバーナー受けを有し、
前記コンロバーナーは、前記一対のバーナー受けにそれぞれ支持された一対のバーナーを有し、
前記第１支持部は、
左右方向に離間した一対の支持爪を有し、
前記第２支持部は、
前記一対のバーナー受けにそれぞれ形成された一対の支持孔を有し、
前記一対の支持孔の各々は、左右方向に貫通した孔であり、
前記一対の被支持部が、前記一対の支持孔と前記一対の支持爪とで左右軸回り方向に回転可能に支持されたことを特徴とする請求項１に記載のガスコンロ。
【請求項３】
前記把手は、
左右方向に延びた把持部と、
前記把持部と合わせてＵ字状となるように、前記把持部の左右両端部から当該把持部の長さ方向に対して交差する方向に突出した一対の延出部と、
前記一対の延出部の前記把持部と反対側の端部から左右方向の外側に向かってそれぞれ突出した前記一対の被支持部とを有し、
前記コンロ本体は、
前記一対の延出部の間に位置し、前記一対の延出部に接触することで、前記把手の左右方向の移動を規制する移動規制部を備えたことを特徴とする請求項２に記載のガスコンロ。
【請求項４】
前記支持爪は、
前記防熱板の上面から上方に突出して、前記被支持部を前側から支持する前片部と、
前記前片部の上端部から後方に突出して、前記被支持部を上側から支持する上片部とを含むことを特徴とする請求項２又は請求項３に記載のガスコンロ。
【請求項５】
前記把手は、断面円形の線材から形成されており、
前記支持孔の前後寸法と、前記上片部から前記防熱板の上面までの上下寸法とが同じであることを特徴とする請求項４に記載のガスコンロ。
【発明の詳細な説明】
【技術分野】
【０００１】
本発明は、ガスコンロに関する。
【背景技術】
【０００２】
特許文献１には、ガスコンロが開示されている。このガスコンロは、キッチンカウンターに設けられた開口部に落とし込んで設置されるコンロ本体と、コンロ本体を吊り下げ支持するための把手とを具備している。コンロ本体は、左右方向に離間して配置された一対のバーナー受け棧と、一対のバーナー受け棧でそれぞれ支持された一対のコンロバーナーとを備えている。把手は、一対のバーナー受け棧に架け渡されている。
【先行技術文献】
【特許文献】
【０００３】
【特許文献１】特開２０１５−１３７７７２号公報
【発明の概要】
【発明が解決しようとする課題】
【０００４】
前述のガスコンロは、例えば利用者が把手を把持してコンロ本体を吊り下げたときに、バーナー受け棧の把手を支持する部分に大きな荷重が加わって、バーナー受け棧の変形が生じ、これによりバーナー受け棧で支持されたバーナーの位置がずれる可能性がある。ここで、バーナー受け棧において把手を支持する部分の周辺を多くのビスで強固に固定することで、バーナー受け棧において把手を支持する部分の変形を抑制することが考えられる。しかし、バーナー受け棧やバーナー受け棧の周囲に、ビスで固定される部分を多く設けると、バーナー受け棧の周囲に他の部品を配置し難くなり、部品の配置に制約を受ける。
【０００５】
本発明は前記事情に鑑みてなされたものであって、バーナー台が変形し難く、部品の配置に制約を受け難いガスコンロを提供することを課題とする。
【課題を解決するための手段】
【０００６】
前記目的を達成するために、本発明に係る一態様のガスコンロは、コンロ本体と、天板とを具備する。コンロ本体は、キッチンカウンターに設けられた開口部に落とし込んで設置される。天板は、前記コンロ本体上に設置される。前記コンロ本体は、バーナー台と、前記バーナー台で支持されたコンロバーナーと、グリルと、グリルの上方に配置された防熱板と、前記コンロ本体を吊り下げ支持するための把手とを備える。前記防熱板に第１支持部が形成される。前記バーナー台に第２支持部が形成される。前記把手が前記第１支持部と前記第２支持部とで支持される。
【発明の効果】
【０００７】
本発明に係るガスコンロは、利用者が把手を利用したときにかかる荷重が、防熱板に形成された第１支持部と、バーナー台に形成された第２支持部とに分散して加わる。このため、把手を支持する支持部が、バーナー台にだけ形成される場合と比較して、バーナー台の変形が抑制され、バーナー台で支持されたコンロバーナーの位置がずれ難くなる。また、バーナー台において第２支持部が形成された部分の近傍を他の部品に強固に固定する必要がなくなる。このため、例えばバーナー台を他の部品に固定するにあたって用いられるビスの数を抑制でき、これによりバーナー台の周囲に他の部品を配置するにあたって制約を受け難くなる。
【図面の簡単な説明】
【０００８】
【図１】図１は、本発明に係る一実施形態のガスコンロの斜視図である。
【図２】図２は、同上のガスコンロのコンロ本体を設置する様子を示した断面図である。
【図３】図３は、同上のコンロ本体の斜視図である。
【図４】図４は、同上のガスコンロのグリルおよびその周辺部を示した断面図である。
【図５】図５は、同上のコンロ本体の拡大斜視図である。
【図６】図６は、同上のコンロ本体の右バーナー受けの斜視図である。
【図７】図７は、同上のコンロ本体の把手およびその周辺部を示した平面図である。
【図８】図８は、同上の把手およびその周辺部を示した断面図である。
【図９】図９は、同上のコンロ本体の左バーナー受けおよび右バーナー受けの図示を省略した拡大斜視図である。
【発明を実施するための形態】
【０００９】
以下に示す実施形態は、ガスコンロに関し、詳しくは、キッチンカウンターの開口部に落とし込んで設置されるガスコンロに関する。
【００１０】
（ガスコンロ）
図１に示す本実施形態のガスコンロ１は、コンロ本体２と、コンロ本体２の上に設置される天板１０とを具備している。
【００１１】
（コンロ本体）
コンロ本体２は、図２に示すようにキッチンカウンター９に設けられた開口部９０に落とし込んで設置される。すなわち、本実施形態のガスコンロ１は、ドロップイン式のコンロである。なお、図２では、キッチンカウンター９に設置された状態のコンロ本体２を二点鎖線で示している。また、以下ではガスコンロ１をキッチンカウンター９に設置した状態における方向を基準にして説明する。具体的には、利用者がガスコンロを見たときを基準として左右方向を定義し、利用者からガスコンロに向かう方向を後方、ガスコンロから利用者に向かう方向を前方とする。
【００１２】
図３に示すように、コンロ本体２は、筐体３と、グリル４と、防熱板５と、バーナー台６と、コンロバーナー７と、把手８とを備えている。グリル４、防熱板５、バーナー台６、コンロバーナー７、および把手８は、筐体３の内側に配置されている。また、この他、筐体３の内側には、ガス供給管１１や、ガスコンロ１の運転状態を表示する表示装置１２なども配置されている。
【００１３】
筐体３は、上方に開口した左右に長い矩形箱状に形成されている。筐体３の前面は、キッチンカウンター９の前方に露出する。筐体３の前面には、コンロバーナー７およびグリル４を操作するための操作部３０が設けられている。
【００１４】
筐体３の上縁部には、水平面に沿って外方に向かって突出したフランジ部３１が形成されている。図２に示すように、キッチンカウンター９の上面は、カウンタートップ９１で構成されており、フランジ部３１は、カウンタートップ９１に載置される。
【００１５】
筐体３の前面の上端部には、後方に凹んだ凹溝部３２が左右方向に亘って形成されている。本実施形態の凹溝部３２の上面部は、筐体３の前端部に形成されたフランジ部３１で構成されている。凹溝部３２には、カウンタートップ９１の開口部９０の前縁部が嵌め込まれる。
【００１６】
キッチンカウンター９にコンロ本体２を設置する作業者は、コンロ本体２をキッチンカウンター９の開口部９０に落とし込みつつ、コンロ本体２を前側が後側よりも下方に位置するように傾斜した姿勢から徐々に水平な姿勢にしていくことで、凹溝部３２にカウンタートップ９１の開口部９０の前縁部を嵌め込むことができる。
【００１７】
（グリル）
グリル４は、図４に示すグリル庫４０と、図３に示すグリル扉４１とを備えている。グリル庫４０は、図４に示すように、筐体３の内側に設置されている。グリル庫４０は、左右方向において筐体３の中央部に位置している。
【００１８】
グリル庫４０は、前方に開口した箱状に形成されている。グリル庫４０の前開口部は、図３に示す筐体３の前面に形成された開口３３を介して筐体３の前方に開口する。グリル扉４１は、筐体３の開口を開閉可能に閉塞し、グリル庫４０の前開口部を覆う。グリル庫４０には、グリル庫４０に入れられた調理物を加熱するためのグリル用バーナーが設けられている。
【００１９】
（防熱板）
図４に示すように、グリル庫４０の上方には、金属製の防熱板５が配置されている。防熱板５は、グリル庫４０で発生した熱が上方に伝わることを抑制する。
【００２０】
防熱板５は、前後方向に直交した断面の形状がハット状であり、天板部５０と、一対の側板部５１，５２と、一対の被固定部５３，５４とを備えている。天板部５０は、防熱板５の上面を構成している。一対の側板部５１，５２は、天板部５０の左右両端部から下方に向かってそれぞれ突出している。一対の被固定部５３，５４は、一対の側板部５１，５２の下端部からそれぞれ左右方向の外側に向かって突出している。
【００２１】
一対の被固定部５３，５４の各々は、グリル庫４０に載置されている。各被固定部５３，５４は、ビス１６によってグリル庫４０に取り付けられている。天板部５０は、グリル庫４０の上方に隙間を介して配置されている。
【００２２】
（バーナー台）
図３に示すように、バーナー台６は、複数のバーナー受け６１〜６３を有している。本実施形態のバーナー台６は、複数のバーナー受け６１〜６３として、左右方向に離間した一対のバーナー受け６１，６２と、これら一対のバーナー受け６１，６２の間に配置されたバーナー受け６３とを有している。以下、必要に応じて、一対のバーナー受け６１，６２のうちの左側のバーナー受け６１を左バーナー受け６１といい、右側のバーナー受けを右バーナー受け６２という。また、左バーナー受け６１と右バーナー受け６２との間に配置されたバーナー受けを中間バーナー受け６３という。
【００２３】
複数のバーナー受け６１〜６３は、筐体３の前部に設けられた表示装置１２の後方に位置している。複数のバーナー受け６１〜６３の各々は、下方に開口した浅底の箱状に形成されており、板金から形成されている。
【００２４】
中間バーナー受け６３は、図５に示すように、防熱板５の天板部５０に載置されており、筐体３の左右方向における中央部に配置されている。中間バーナー受け６３の左右両側の端部の各々は、複数のビス１３により天板部５０に取り付けられている。
【００２５】
左バーナー受け６１および右バーナー受け６２は、筐体３の左右両端部にそれぞれ配置されており、左右方向に離間している。
【００２６】
左バーナー受け６１は、右バーナー受け６２とは、共通の構成を有する。このため、以下では、主に右バーナー受け６２について説明し、左バーナー受け６１において右バーナー受け６２と共通の構成については同一の符号を付して説明を省略する。
【００２７】
図６に示すように、右バーナー受け６２の右端部（左バーナー受け６１側とは反対側の端部）には、掛止部６３０が形成されている。掛止部６３０は、前後方向に並んだ一対の掛止片６３１を含んでいる。各掛止片６３１は、右バーナー受け６２の右端部から上方に向かって突出している。
【００２８】
図５に示すように、筐体３の右側面部において右バーナー受け６２の各掛止片６３１に対応する箇所には、掛止孔３４が形成されている。右バーナー受け６２の各掛止片６３１は、筐体３の右側面部の対応する掛止孔３４を通って当該掛止孔３４の上縁部の外面に掛止されている。これにより、右バーナー受け６２の右端部は、筐体３の右側面部に取り付けられている。左バーナー受け６１の左端部も、右バーナー受け６２の右端部と同様に、筐体３の左側面部に取り付けられている。
【００２９】
図６に示すように、右バーナー受け６２の左端部（左バーナー受け６１側の端部）には、被固着部６２０が形成されている。各被固着部６２０は、前後方向に並んだ複数（図示例では２つ）の被固着片６２１を含んでいる。
【００３０】
右バーナー受け６２の各被固着片６２１は、右バーナー受け６２の左側面部６２２の下端部から左方に向かって突出している。
【００３１】
図５に示すように、右バーナー受け６２の各被固着片６２１は、防熱板５の天板部５０に載置されており、ビス１４により天板部５０に取り付けられている。左バーナー受け６１の各被固着片６２１も、右バーナー受け６２の各被固着片６２１と同様に、天板部５０に取り付けられている。
【００３２】
（コンロバーナー）
図３に示すように、コンロバーナー７は、複数のバーナー７１〜７３を有している。本実施形態のコンロバーナー７は、複数のバーナー７１〜７３として、筐体３の左部分の前部に設けられたバーナー７１と、筐体３の右部分の前部に設けられたバーナー７２と、筐体３の後部中央に設けられたバーナー７３とを有している。
【００３３】
以下、筐体３の左部分の前部に設けられたバーナーを左バーナー７１といい、筐体３の右部分の前部に設けられたバーナーを右バーナー７２という。また、筐体３の後部中央に設けられたバーナーを後バーナー７３という。
【００３４】
左バーナー７１は左バーナー受け６１に載置されている。右バーナー７２は右バーナー受け６２に載置されている。後バーナー７３は、中間バーナー受け６３に載置されている。複数のバーナー７１〜７３の各々は、対応するバーナー受け６１〜６３に複数のビス１５によって取り付けられている。
【００３５】
（把手）
防熱板５の天板部５０の上方には、コンロ本体２を吊り下げ支持するための把手８が配置されている。
【００３６】
把手８は、金属製であり、断面円形の線材から形成されている。把手８は、図５に示すように、左右方向における中間部が両端部よりも左右方向と交差する方向に突出するように屈曲している。
【００３７】
把手８は、把持部８０と、一対の延出部８１，８２と、一対の被支持部８３，８４とを有している。把持部８０は、左右方向に延びており、直線状である。把持部８０は、コンロ本体２を設置する作業者によって把持される部分である。一対の延出部８１，８２は、把持部８０と合わせてＵ字状（コ字状）となるように、把持部８０の左右両端部から把持部８０の長さ方向に対して交差する方向に突出している。一対の被支持部８３，８４は、一対の延出部８１，８２の把持部８０とは反対側の端部から左右方向の外側に向かってそれぞれ突出している。
【００３８】
（支持部）
図７に示すように、防熱板５およびバーナー台６の各々には、把手８を支持する支持部５５，６５が形成されている。以下、必要に応じて、防熱板５に形成された支持部５５を第１支持部５５といい、バーナー台６に形成された支持部６５を第２支持部６５という。
【００３９】
第１支持部５５は、左右方向に離間した一対の支持爪５５１，５５２を有している。一対の支持爪５５１，５５２は、防熱板５の天板部５０と一体に形成されている。一対の支持爪５５１，５５２は、天板部５０において左バーナー受け６１および右バーナー受け６２の各々に対応する部分から上方に突出している。
【００４０】
一対の支持爪５５１，５５２の各々は、防熱板５を板金から製作するにあたって、当該板金の天板部５０に対応する部分の一部を切り起こすことで形成される。一対の支持爪５５１，５５２のうち、左側の支持爪５５１は左バーナー受け６１によって覆われている。右側の支持爪５５２は右バーナー受け６２によって覆われている。
【００４１】
左側の支持爪５５１は、把手８の左側の被支持部８３を左右軸回り方向に回転可能に支持し、右側の支持爪５５２は把手８の右側の被支持部８４を左右軸回り方向に回転可能に支持する。ここで、左右軸回り方向とは、左右方向と平行な回転軸を中心に回転する方向をいう。
【００４２】
各支持爪５５１，５５２は、図８に示すように、左右方向から見て逆Ｌ字に形成されており、天板部５０から上方に向かって突出した前片部５６と、前片部５６の上端部から後方に向かって突出した上片部５７とを含んでいる。
【００４３】
上片部５７の下方には、後方および左右両方向に開口した凹所５８が形成されている。凹所５８には、把手８の対応する被支持部８３，８４が左右方向に挿通されている。前片部５６は対応する被支持部８３，８４の前方に位置し、当該被支持部８３，８４を前側から支持する。上片部５７は、対応する被支持部８３，８４の上方に位置し、当該被支持部８３，８４を上側から支持する。
【００４４】
各支持爪５５１，５５２は、把手８を利用してコンロ本体２が吊り下げ支持されたときに、対応する被支持部８３，８４を支持すればよく、把手８が用いられないときには、被支持部８３，８４に接していてもよいし、接していなくてもよい。
【００４５】
図２に示すように、コンロ本体２をキッチンカウンター９の開口部９０に落とし込んで設置する作業者は、筐体３の凹溝部３２に、カウンタートップ９１の開口部９０の前縁部を嵌め込む際、把手８を利用して吊り下げ支持したコンロ本体２を前方に移動する。このとき、図８に示す把手８は、各被支持部８３，８４が対応する支持爪５５１，５５２の前片部５６によって前側から支持される。
【００４６】
図５に示すように、バーナー台６に形成された第２支持部６５は、左右方向に離間した一対の支持孔６５１，６５２を有している。一対の支持孔６５１，６５２は、左バーナー受け６１および右バーナー受け６２にそれぞれ形成されている。一対の支持孔６５１，６５２のうち、左側の支持孔６５１（左バーナー受け６１に形成された支持孔６５１）は、把手８の左側の被支持部８３を左右軸回り方向に回転可能に支持する。一対の支持孔６５１，６５２のうち、右側の支持孔６５２（右バーナー受け６２に形成された支持孔６５２）は把手８の右側の被支持部８４を左右軸回り方向に回転可能に支持する。
【００４７】
左側の支持孔６５１は、左バーナー受け６１の右側面部６１２の前端部に形成されており、右側面部６１２を左右方向に貫通している。右側の支持孔６５２は、右バーナー受け６２の左側面部６２２の前端部に形成されており、左側面部６２２を左右方向に貫通している。一対の支持孔６５１，６５２は、一対の支持爪５５１，５５２の間に配置されている。また、左バーナー受け６１の支持孔６５１は、左バーナー受け６１の複数の被固着片６２１よりも前方に位置し、右バーナー受け６２の支持孔６５２は、右バーナー受け６２の複数の被固着片６２１よりも前方に位置している。
【００４８】
一対の支持孔６５１，６５２の各々は、図６に示すように、逆Ｕ字状の周縁部を有する下方に開口した孔である。図５に示すように、各支持孔６５１，６５２には、把手８の対応する被支持部８３，８４が左右方向に挿通されている。各支持孔６５１，６５２の周縁部は、対応する被支持部８３，８４を前側、上側、および後側から支持する。また、各被支持部８３，８４は、防熱板５の天板部５０によって、下側から支持される。
【００４９】
各支持孔６５１は、把手８が利用されてコンロ本体２が吊り下げ支持されたときに、対応する被支持部８３，８４を支持すればよく、把手８が用いられないときには、被支持部８３，８４に接していてもよいし、接していなくてもよい。
【００５０】
なお、左バーナー受け６１の掛止部６３０、被固着部６２０、および支持孔６５１は、右バーナー受け６２の掛止部６３０、被固着部６２０、および支持孔６５２と左右対称な形状である。
【００５１】
前述のように把手８は、第１支持部５５と第２支持部６５との両者で支持される。このため、把手８が利用されてコンロ本体２が吊り下げ支持されたときには、これら第１支持部５５および第２支持部６５が形成された防熱板５およびバーナー台６が変形し難くなる。
【００５２】
各支持爪５５１，５５２の上片部５７の下面は、図８に示すように対応する支持孔６５１，６５２の上縁よりも下方に位置してもよいし、上方に位置してもよい。また、各支持爪５５１，５５２の上片部５７の下面は、対応する支持孔６５１，６５２の上縁と同じ高さに位置してもよい。
【００５３】
把手８が利用されてコンロ本体２が吊り下げ支持されたときには、各支持部５５，６５は、大きく変形しない方がよい。このため、各支持爪５５１，５５２の上片部５７の下面の高さと、対応する支持孔６５１，６５２の上端の高さとのずれは、０．３ｍｍ以下であることが好ましい。
【００５４】
各支持孔６５１，６５２の前後寸法Ｌ１は、対応する支持爪５５１，５５２の上片部５７から防熱板５の上面までの上下寸法Ｌ２と同じであることが好ましい。この場合、把手８の断面円形の各被支持部８３，８４は、対応する支持爪５５１，５５２と支持孔６５１，６５２とによって、前後方向および上下方向のがたつきが抑制されながら、スムーズに回転可能に支持される。
【００５５】
第１支持部５５および第２支持部６５によって支持された把手８は、一対の被支持部８３，８４を中心にして左右軸回り方向に回転可能である。これにより、把手８は、一対の延出部８１，８２が起立した起立姿勢と、一対の延出部８１，８２が倒れた倒伏姿勢とに切り替えられるようになっている。起立姿勢とされた把手８の把持部８０は、筐体３の上端よりも上方に位置する。また、倒伏姿勢とされた把手８は、全体が筐体３の上面よりも下方に位置する。
【００５６】
ここで、作業者が把手８を利用してコンロ本体２を小さな力で吊り下げ支持できるように、把手８は、平面視において、コンロ本体２の把手８を除く部分の重心と重なる位置、又はコンロ本体２の把手８を除く部分の重心の近傍に設けられることが好ましい。例えば、コンロ本体２の把手８を除く部分の重心は、左右方向において一対の支持孔６５１，６５２の間に位置する。
【００５７】
また、前述したように、作業者がコンロ本体２をキッチンカウンター９の開口部９０に落とし込んで設置するときには、図２に示すようにコンロ本体２を前下がりで傾斜した姿勢にする場合がある。このため、コンロ本体２の把手８を除く部分の重心は、第１支持部５５および第２支持部６５よりも前方位置、あるいは前後方向において第１支持部５５および第２支持部６５と同じ位置に位置することが好ましい。この場合、作業者が把手８を把持したときに、コンロ本体２を簡単に前下がりで傾斜した姿勢にできる。
【００５８】
なお、コンロ本体２の把手８を除く部分の重心の位置は、作業者が把手８を掴んで、コンロ本体２を水平な姿勢、やや前下がりで傾斜した姿勢、あるいはやや後下がりで傾斜した姿勢で容易に吊り下げ支持することができるのであれば、上述した位置に制限されない。
【００５９】
図５に示すように、一対の延出部８１，８２の把持部８０とは反対側の端部は、中間バーナー受け６３の左右一対の側面部６３２，６３３にそれぞれ対向しており、一対の延出部８１，８２の間には、中間バーナー受け６３が配置されている。このため、把手８が左右方向に移動しようとしたとき、一対の延出部８１，８２のうちの一方が中間バーナー受け６３の対応する側面部６３２，６３３に接触し、これにより把手８の左右方向の移動が規制される。すなわち、本実施形態では、把手８の左右方向の移動を規制する移動規制部が、中間バーナー受け６３で構成されている。
【００６０】
図７に示すように、延出部８１，８２と中間バーナー受け６３の対応する側面部６３２，６３３との間の距離Ｌ３は、支持爪５５１，５５２と当該支持爪５５１，５５２から外側方に突出した被支持部８３，８４の先端との間の距離Ｌ４よりも小さいことが好ましい。このようにすると、中間バーナー受け６３によって左右方向の移動が規制された把手８は、各被支持部８３，８４が、対応する支持爪５５１，５５２の左右方向の全長に亘る部分で支持されるようになる。このため、支持爪５５１，５５２が対応する被支持部８３，８４から外れ難くなる。なお、移動規制部は中間バーナー受け６３に限られず、コンロ本体２に内蔵される他の部品で構成されてもよい。
【００６１】
本実施形態の防熱板５には、把手８の左右方向の移動を規制する第２の移動規制部５９が形成されている。第２の移動規制部５９は、一対のストッパー片５９１，５９２を有している。一対のストッパー片５９１，５９２は、防熱板５の天板部５０において、各被支持部８３，８４の先端側に位置する箇所から上方に向かって突出しており、一対の被支持部８３，８４の先端面にそれぞれ対向している。このため、把手８が左右方向に移動しようとしたとき、一対の被支持部８３，８４のうちの一方が対応するストッパー片５９１，５９２に接触し、これにより把手８の左右方向の移動が規制される。
【００６２】
なお、本実施形態の把手８は、第１支持部５５と第２支持部６５とにより回転可能に支持されているが、把手８は第１支持部５５および第２支持部６５に対して回転不能に支持されてもよい。
【００６３】
（天板）
図１に示すように、天板１０は、コンロ本体２の上に設置されている。天板１０は、筐体３に内蔵された、グリル４、防熱板５、バーナー台６、および把手８を覆う。なお、天板１０において各バーナー７１〜７３に対応する箇所には、上下方向に貫通する孔が形成されており、各バーナー７１〜７３は対応する孔を介して上方に露出する。
【００６４】
（把手の取付け）
把手８は、例えば以下のようにコンロ本体２に設けられる。まず、作業者は、図９に示すように、各被支持部８３，８４を対応する支持爪５５１，５５２の凹所５８に後方から挿入する。これにより、把手８の一対の被支持部８３，８４が、グリル庫４０上に設けられた防熱板５の一対の支持爪５５１，５５２で仮固定される。
【００６５】
次に作業者は、図５に示す左バーナー受け６１および右バーナー受け６２の各々を、筐体３と防熱板５とに取り付ける。
【００６６】
右バーナー受け６２を筐体３と防熱板５とに取り付けるには、作業者は、まず、右バーナー受け６２の掛止部６３０を筐体３の対応する掛止孔３４に通し、右バーナー受け６２を右下がりに傾けた状態とする。続いて作業者は、掛止部６３０を支点に右バーナー受け６２を下方に回転し、右バーナー受け６２の支持孔６５２に把手８の右側の被支持部８４を挿入すると共に、右バーナー受け６２の各被固着片６２１を防熱板５の天板部５０に載置する。そして、作業者は、右バーナー受け６２の各被固着片６２１をビス１４により天板部５０に固定する。これにより、把手８の右側の被支持部８４は、左バーナー受け６１の支持孔６５１，６５２によって支持される。左バーナー受け６１も、右バーナー受け６２と同様に、筐体３と防熱板５とに取り付けられる。
【００６７】
（コンロ本体の設置）
作業者がコンロ本体２をキッチンカウンター９の開口部９０に落とし込んで設置するとき、作業者は、把手８を利用してコンロ本体２を吊り下げ支持することができる。この場合、作業者は、図２に示すように把手８を起立姿勢にする。そして、この把手８の把持部８０を把持して、コンロ本体２を吊り下げ支持する。
【００６８】
作業者は、コンロ本体２の設置後、把手８を後方に回転して図３に示すように倒伏姿勢（非使用状態）にする。
【００６９】
この後、作業者は、図１に示すように、コンロ本体２上に天板１０を設置する。このとき、倒伏姿勢となって把手８は、図８に示すように、筐体３の上面よりも下方に位置する。このため、作業者は天板１０を把手８に接触させることなく、コンロ本体２に天板１０を設置できる。
【００７０】
ガスイコンロ１がキッチンカウンター９に設置された状態において、把手８は前述した倒伏姿勢となる。このように倒伏姿勢とされた把手８の把持部８０は、筐体３の上端部に内蔵された他の部品よりも下方に位置し、当該他の部品よりも上方に飛び出さない。このため、筐体３内のスペースには、効率良く部品が配置されている。
【００７１】
なお、本実施形態のガスコンロ１は、適宜設計変更可能である。
【００７２】
（効果）
以下、上述した実施形態に示したガスコンロ１の構成および効果について説明する。
【００７３】
第１の態様のガスコンロ１は、以下の構成を有する。ガスコンロ１は、キッチンカウンター９に設けられた開口部９０に落とし込んで設置されるコンロ本体２と、コンロ本体２上に設置された天板１０とを具備する。コンロ本体２は、バーナー台６と、前記バーナー台６で支持されたコンロバーナー７と、グリル４と、グリル４の上方に配置された防熱板５と、コンロ本体２を吊り下げ支持するための把手８とを備える。防熱板５に第１支持部５５が形成される。バーナー台６に第２支持部６５が形成される。把手８が第１支持部５５と第２支持部６５とで支持される。
【００７４】
この構成を有する第１の態様のガスコンロ１は、把手８が利用されたときにかかる荷重が、防熱板５に形成された第１支持部５５と、バーナー台６に形成された第２支持部６５とに分散して加わる。このため、把手８を支持する部分がバーナー台６にだけ形成される場合と比較して、バーナー台６の変形が抑制され、バーナー台６で支持されたコンロバーナー７の位置がずれ難くなる。また、バーナー台６において第２支持部６５が形成された部分の近傍を他の部品に強固に固定する必要がなくなり、バーナー台６を他の部品に固定するにあたって用いられるビス１４の数を抑制できる。このため、バーナー台６の周囲に他の部品を配置するにあたって制約を受け難くなる。
【００７５】
第２の態様のガスコンロ１は、第１の態様のガスコンロ１において、以下に示す付加的な構成を有する。把手８の両端部に一対の被支持部８３，８４がそれぞれ形成される。バーナー台６は、左右方向に離間して配置された一対のバーナー受け６１，６２を有する。コンロバーナー７は、一対のバーナー受け６１，６２にそれぞれ支持された一対のバーナー７１，７２を有する。第１支持部５５は、左右方向に離間した一対の支持爪５５１，５５２を有する。第２支持部６５は、一対のバーナー受け６１，６２にそれぞれ形成された一対の支持孔６５１，６５２を有する。一対の支持孔６５１，６５２の各々は、左右方向に貫通した孔である。一対の被支持部８３，８４が、一対の支持孔６５１，６５２と一対の支持爪５５１，５５２とで左右軸回り方向に回転可能に支持される。
【００７６】
この構成を有する第２の態様のガスコンロ１は、一対の被支持部８３，８４が、一対のバーナー受け６１，６２にそれぞれ形成された一対の支持孔６５１，６５２と、防熱板５に形成された一対の支持爪５５１，５５２とで支持される。また、一対の被支持部８３，８４は、一対の支持孔６５１，６５２と一対の支持爪５５１，５５２とで左右軸回り方向に回転可能に支持されるため、把手８を回動して、把手８を使用時や非使用時に適した位置に配置できる。
【００７７】
第３の態様のガスコンロ１は、第２の態様のガスコンロ１において、以下に示す付加的な構成を有する。把手８は、把持部８０と、一対の延出部８１，８２と、一対の被支持部８３，８４とを有する。把持部８０は、左右方向に延びている。一対の延出部８１，８２は、把持部８０と合わせてＵ字状となるように、把持部８０の左右両端部から把持部８０の長さ方向に対して交差する方向に突出している。一対の被支持部８３，８４は、一対の延出部８１，８２の把持部８０と反対側の端部から左右方向の外側に向かってそれぞれ突出している。コンロ本体２は、一対の延出部８１，８２の間に位置し、一対の延出部８１，８２に接触することで、把手８の左右方向の移動を規制する移動規制部を備える。
【００７８】
この構成を有する第３の態様のガスコンロ１は、移動規制部によって把持部８０の左右方向の移動が規制されるため、把手８が利用しやすい。
【００７９】
第４の態様のガスコンロ１は、第２又は第３の態様のガスコンロ１において、以下に示す付加的な構成を有する。支持爪５５１，５５２は、防熱板５の上面から上方に突出して、被支持部８３，８４を前側から支持する前片部５６と、前片部５６の上端部から後方に突出して、被支持部８３，８４を上側から支持する上片部５７とを含む。
【００８０】
この構成を有する第４の態様のガスコンロ１は、被支持部８３，８４が支持爪５５１，５５２によって前側および上側から支持される。このため、作業者が把手８を利用してコンロ本体２を吊り下げ支持したり前方に移動したりするときに、把手８が支持爪５５１，５５２によって支持される。
【００８１】
第５の態様のガスコンロ１は、第５の態様のガスコンロ１において、以下に示す付加的な構成を有する。把手８は、断面円形の線材から形成されている。支持孔６５１，６５２の前後寸法Ｌ１と、上片部５７から防熱板５の上面までの上下寸法Ｌ２とが同じである。
【００８２】
この構成を有する第５の態様のガスコンロ１は、支持爪５５１，５５２と支持孔６５１，６５２とで支持された把手８の断面円形の各被支持部８３，８４を、前後方向および上下方向にがたつき難くすることができる。
【符号の説明】
【００８３】
１  ガスコンロ
１０  天板
２  コンロ本体
４  グリル
５  防熱板
５５  第１支持部
５５１  支持爪（左）
５５２  支持爪（右）
５６  前片部
５７  上片部
６  バーナー台
６１  左バーナー受け
６２  右バーナー受け
６５  第２支持部
６５１  支持孔（左）
６５２  支持孔（右）
７  コンロバーナー
７１  左バーナー
７２  右バーナー
８  把手
８０  把持部
８１  延出部（左）
８２  延出部（右）
８３  被支持部（左）
８４  被支持部（右）
９  キッチンカウンター
９０  開口部
【図１】
0006761266.tif 000002
【図２】
0006761266.tif 000003
【図３】
0006761266.tif 000004
【図４】
0006761266.tif 000005
【図５】
0006761266.tif 000006
【図６】
0006761266.tif 000007
【図７】
0006761266.tif 000008
【図８】
0006761266.tif 000009
【図９】
0006761266.tif 000010